(57)【要約】【課題】  低廉な設備にて高速かつ高精度な処理結果を得ることができる吸着シミュレーション装置を提供すること。【解決手段】  複数成分を含む気体など流体物の所定の吸着剤に対する吸着状態をシミュレーションにて算出する吸着シミュレーション装置であって、  流体物の吸着剤に対する吸着量を、各成分及び吸着剤の予め定められた特性データに基づいて、各成分毎に並列にそれぞれ計算する複数の吸着計算手段２を備えると共に、  各吸着計算手段により算出された各成分毎の吸着量に基づいて、当該各成分毎の流入濃度を算出する平衡計算手段１３を備えた。【選択図】図２
2005250966.tif 000002
【特許請求の範囲】
【請求項１】
複数成分を含む気体など流体物の吸着剤に対する吸着状態をシミュレーションにて算出する吸着シミュレーション装置であって、
前記流体物の前記吸着剤に対する吸着量を、前記各成分及び前記吸着剤の予め定められた特性データに基づいて、前記各成分毎に並列にそれぞれ計算する複数の吸着計算手段を備えると共に、
前記各吸着計算手段により算出された各成分毎の吸着量に基づいて、当該各成分毎の流入濃度を算出する平衡計算手段を備えた、ことを特徴とする吸着シミュレーション装置。
【請求項２】
前記複数の吸着計算手段を、それぞれ異なる演算手段にて構成した、ことを特徴とする請求項１記載の吸着シミュレーション装置。
【請求項３】
複数成分を含む気体など流体物の吸着剤に対する吸着状態を演算手段を用いてシミュレーションにて算出する吸着シミュレーション方法であって、
複数の演算手段にて、前記流体物の前記吸着剤に対する吸着量を、前記各成分及び前記吸着剤の予め定められた特性データに基づいて、前記各成分毎に並列にそれぞれ計算する吸着計算工程と、
前記複数の演算手段が、算出した吸着量を当該複数の演算手段の内の特定の演算手段に、あるいは、他の演算手段に送信する吸着量データ送信工程と、
この吸着量データ送信工程にて送信された吸着量データを受信した演算手段が、前記各成分毎の吸着量に基づいて当該各成分毎の流入濃度を算出する平衡計算工程と、
から成ることを特徴とする吸着シミュレーション方法。
【請求項４】
複数成分を含む気体など流体物の吸着剤に対する吸着状態をシミュレーションにて算出するコンピュータに、
前記流体物の前記吸着剤に対する吸着量を、前記各成分及び前記吸着剤の予め定められた特性データに基づいて、前記各成分毎に並列にそれぞれ計算する複数の吸着計算手段、
前記各吸着計算手段により算出された前記各成分毎の吸着量に基づいて当該各成分毎の流入濃度を算出する平衡計算手段、
とを実現するための吸着シミュレーション用プログラム。
【請求項５】
複数成分を含む気体など流体物の吸着剤に対する吸着状態をシミュレーションにて算出するコンピュータに、
前記流体物中の一の成分における前記吸着剤に対する吸着量を前記成分及び前記吸着剤の予め定められた特性データに基づいて計算する吸着計算手段、
この算出された吸着量データを、前記流体中の各成分毎の吸着量に基づいて当該各成分毎の流入濃度を算出する平衡計算手段を有するコンピュータに送信する吸着量データ送信手段、
とを実現するための吸着シミュレーション用プログラム。
【請求項６】
複数成分を含む気体など流体物の吸着剤に対する吸着状態をシミュレーションにて算出するコンピュータに、
前記流体物の前記吸着剤に対する吸着量を前記各成分及び前記吸着剤の予め定められた特性データに基づいて前記各成分毎に並列にそれぞれ計算する複数の吸着計算コンピュータから、算出された各成分毎の吸着量データを受信する吸着量データ受信手段、
当該受信した各吸着量に基づいて前記各成分毎の流入濃度を算出する平衡計算手段、
とを実現するための吸着シミュレーション用プログラム。
【発明の詳細な説明】
【技術分野】
【０００１】
本発明は、吸着シミュレーション装置にかかり、特に、複数成分を含む気体などの流体物を吸着塔内の吸着剤を通過させることにより各成分に分離する処理を行う前に、その吸着状態をシミュレーションする吸着シミュレーション装置に関する。また、そのシミュレーション方法及びシミュレーション用プログラムに関する。
【背景技術】
【０００２】
気体や液体などの吸着分離を行う装置として吸着塔が用いられている（特許文献１参照）。この吸着塔には、内部に複数の固定層が形成されている。そして、かかる固定層内を気体や液体が通過することで、各固定層の吸収剤に各成分が吸着し、これにより、汚水処理や溶剤の回収、ガス成分毎の分離処理を行うことができ、種々のプラントに活用されている。
【０００３】
このような吸着塔を使用する際には、いかなる吸着剤を用いたときに、いかなる濃度の成分がどの程度の割合で吸着されるか、ということは予め設計時に計算しなければならない。そして、吸着現象は、時間が立つにつれて変化するものであるため、かかる吸着現象をコンピュータにてシミュレーションすることが望ましい。特に、対象となる気体や液体に複数の成分が含まれていると吸着剤の吸着状態も複雑になるため、さらなるシミュレーションの要求が高まっている。これにより、予め混合成分の吸着状態を把握することができ、そのシミュレーション結果に基づいて実際に吸着塔を製造することで、実際に吸着・分離対象物となる流体を吸着塔に流入させるなどの実験を行う必要がなくなり、製造コストの軽減を図ることができる。
【０００４】
図３に、上述した従来における吸着分離シミュレーションの手法を表すフローチャートを示す。なお、この図において説明する手法では、詳細な処理は省略している。この図に示すように、まず、計算に必要なパラメータ等の初期値を設定する（ステップＳ１０１）。このとき、流体物の吸着量計算対象となる成分を特定する変数ｉは０に初期化される。そして、吸着塔内の層高や時間などが設定される（ステップＳ１０２）。
【０００５】
続いて、対象となる流入体に含まれる一つの成分（ｉ＝０）について、吸着剤の粒子内の吸着状態を表す拡散計算が行われ（ステップＳ１０３，Ｓ１０４）、これにより算出された吸着量の値から、当該成分の濃度を算定する平衡計算が行われる（ステップＳ１０５）。続いて、他に成分がある場合には、他の成分についても上述同様に、吸収剤の粒子内の拡散計算を行うと共に、平衡計算が行われる（ステップＳ１０６，Ｓ１０７を介してステップＳ１０４に戻る）。
【０００６】
このようにして、全ての成分について吸着量及び濃度を算出する。このとき、上述したステップＳ１０５に示す平衡計算は、全ての成分において設定される複数の変数の連立方程式となる。このような他変数の場合には、収束する解を求める必要があり、平衡関係が収束した場合には層高や時間を変えて再度計算を行う（ステップＳ１０９，Ｓ１１０）。一方で、収束しない場合には、再度、計算を行う。
【０００７】
これにより、固定層内の成分毎の吸着状態が飽和するまでの時間をシミュレーションにて知ることができ、後に吸着塔を設立する際、あるいは、実際に流体物を流入させて吸着分離を行う際の参考データとすることができる。
【０００８】
【特許文献１】特開平８−１８７４１４号公報
【発明の開示】
【発明が解決しようとする課題】
【０００９】
しかしながら、上記手法では、一台のコンピュータにて多変数の計算を行う必要があるため、当該コンピュータに多大な負荷がかかるという問題があった。すなわち、図３の符号Ａ１００の波線枠内に示す処理を、一台のコンピュータにて連続して行わなければならい。従って、全ての成分の吸着剤粒子に対する拡散計算と平衡計算とを直列に処理するため、処理負担が増大し、ワークステーションさらにはスーパーコンピュータを用いなければ処理に長時間かかる、という問題が生じる。
【００１０】
また、逆に、高速処理を行うべく、処理性能の高いワークステーションやスーパーコンピュータなどを利用しようとすると多大なコストがかかってしまうという問題が生じ、特にこのようなコンピュータ設備を有しない企業にとってはシミュレーション自体を行うことができない、という問題が生じる。
【００１１】
このため、本発明では、低廉な設備にて高速かつ高精度な処理結果を得ることができる吸着シミュレーション装置、方法、プログラムを提供することをその目的とする。
【課題を解決するための手段】
【００１２】
そこで、本発明では、複数成分を含む気体など流体物の所定の吸着剤に対する吸着状態をシミュレーションにて算出する吸着シミュレーション装置であって、
流体物の吸着剤に対する吸着量を、各成分及び吸着剤の予め定められた特性データに基づいて、各成分毎に並列にそれぞれ計算する複数の吸着計算手段を備えると共に、
各吸着計算手段により算出された各成分毎の吸着量に基づいて、当該各成分毎の流入濃度を算出する平衡計算手段を備えた、という構成を採っている。
【００１３】
なお、上記複数の吸着計算手段は、それぞれ異なる演算手段にて構成されていてもよい。
【００１４】
このような構成にすることにより、各成分の吸着量算出処理をそれぞれ独立の中央処理装置（ＣＰＵ）あるいはコンピュータにて並列に演算処理することができる。そして、算出された値は、一台のコンピュータや中央処理装置に集められ、各成分の吸着量に対応する濃度値が、全ての成分との関連で算出される。従って、各成分毎の処理を並列に異なるコンピュータで処理することで、全ての成分における吸着量算出処理の高速化を図ることができ、かつ、高性能なコンピュータを用いる必要がないためコスト削減を図ることができる。
【００１５】
また、本発明では、複数成分を含む気体など流体物の所定の吸着剤に対する吸着状態を演算手段を用いてシミュレーションにて算出する吸着シミュレーション方法であって、
複数の演算手段にて、流体物の前記吸着剤に対する吸着量を、各成分及び吸着剤の予め定められた特性データに基づいて、各成分毎に並列にそれぞれ計算する吸着計算工程と、
複数の演算手段が算出した吸着量を、複数の演算手段の内の特定の演算手段に、あるいは、他の演算手段に送信する吸着量データ送信工程と、
この吸着量データ送信工程にて送信された吸着量データを受信した演算手段が、各成分毎の吸着量に基づいて当該各成分毎の流入濃度を算出する平衡計算工程と、
から成る吸着シミュレーション方法をも提供している。
【００１６】
さらに、本発明では、複数成分を含む気体など流体物の所定の吸着剤に対する吸着状態をシミュレーションにて算出するコンピュータに、
流体物の前記吸着剤に対する吸着量を、各成分及び前記吸着剤の予め定められた特性データに基づいて、各成分毎に並列にそれぞれ計算する複数の吸着計算手段、
各吸着計算手段により算出された各成分毎の吸着量に基づいて当該各成分毎の流入濃度を算出する平衡計算手段、
とを実現するための吸着シミュレーション用プログラムをも提供している。
【００１７】
同様に、複数成分を含む気体など流体物の所定の吸着剤に対する吸着状態をシミュレーションにて算出するコンピュータに、
流体物中の一の成分における吸着剤に対する吸着量を成分及び吸着剤の予め定められた特性データに基づいて計算する吸着計算手段、
この算出された吸着量データを、流体中の各成分毎の吸着量に基づいて当該各成分毎の流入濃度を算出する平衡計算手段を有するコンピュータに送信する吸着量データ送信手段、
とを実現するための吸着シミュレーション用プログラムをも提供している。
【００１８】
さらに同様に、複数成分を含む気体など流体物の所定の吸着剤に対する吸着状態をシミュレーションにて算出するコンピュータに、
流体物の吸着剤に対する吸着量を各成分及び吸着剤の予め定められた特性データに基づいて各成分毎に並列にそれぞれ計算する複数の吸着計算コンピュータから、算出された各成分毎の吸着量データを受信する吸着量データ受信手段、
当該受信した各吸着量に基づいて各成分毎の流入濃度を算出する平衡計算手段、
とを実現するための吸着シミュレーション用プログラムをも提供している。
【００１９】
このような構成にすることで、上記システム同様に作用するため、上述した目的を達成することができる。
【発明の効果】
【００２０】
本発明は、以上のように構成され機能するので、これによると、各成分毎の吸着状態を算出する処理を並列に異なるコンピュータで処理することにより、全ての成分における当該処理の高速化を図ることができ、かつ、高性能なコンピュータを用いる必要がないためコストの削減を図ることができる。
【発明を実施するための最良の形態】
【００２１】
本発明は、気体や液体などの複数の成分が含まれる流体物の吸着分離を行う吸着塔における吸着現象をシミュレーションする装置であり、コンピュータにて構成されるものである。特に、各成分に関する吸着量の算出処理を各成分毎に個別のコンピュータ（個別のＣＰＵ）にて行うことで、シミュレーションの高速処理化、及び、シミュレーションを行う装備の低コスト化を図る。以下、実施例においてその構成、及び、動作の詳細を説明する。
【実施例１】
【００２２】
以下、本発明の第一の実施例を、図１乃至図２を参照して説明する。図１は、本発明である吸着シミュレーション装置の構成を示すブロック図であり、図２は、その動作を示すフローチャートである。
【００２３】
〈構成〉
まず、本発明である吸着シミュレーションを行うことの必要性について説明する。上記従来技術としても説明したが、複数の成分を含む気体などの流体物からそれぞれの成分を吸着分離する装置として吸着塔がある。この吸着塔には、内部に複数の固定層が形成されており、当該固定層内を気体や液体が通過することで、各固定層の吸収剤に各成分が吸着し、これにより、汚水処理や溶剤の回収、ガス成分毎の分離処理を行うことができ、種々のプラントに活用されている。
【００２４】
この吸着状態をその対象となる流体物の成分に基づいて、予めシミュレーションしておくことが従来より行われている。このようにシミュレーションしておくことで、各成分の吸着塔内における層高や時間に応じた吸着量などを精度よく事前に認識することができ、実際に吸着塔を利用した際に予め希望した濃度の成分が得られるなど、その精度を高めることができる。
【００２５】
上述したようなシミュレーション装置は、本発明では以下のような構成を採っている。すなわち、図１（ａ）に示すように、吸着シミュレーション装置は、ネットワークＮを介して接続された管理サーバ１と、複数の分散処理端末２とにより構成されている。そして、管理サーバ１にて全体的なシミュレーション処理を制御し、その一部の処理を分散処理端末２に振り分ける、というものである。以下、各構成について詳述する。
【００２６】
〈ネットワーク〉
まず、本発明におけるネットワークＮは、特定企業内のみで稼働するイントラネットや、近接して設置されたコンピュータを相互に接続するハブやケーブルから成るＬＡＮである。但し、専用線や電話回線あるいはＣＡＴＶのケーブル等の有線回線や、携帯電話回線といった無線回線を用い、ＴＣＰ／ＩＰプロトコルといった通信プロトコルにて通信を行うインターネットでもよい。
【００２７】
〈管理サーバ〉
管理サーバ１は、上記ネットワークＮに接続されたサーバコンピュータであり、所定の演算処理を行うＣＰＵ１０（中央処理装置）と、所定のデータを記憶するＲＯＭ，ＲＡＭあるいはハードディスク２０などの記憶装置を備えた一般的なサーバコンピュータである。また、ネットワークＮに接続するための通信装置である通信部３０を備えている。この管理サーバ１の構成を図１（ｂ）の機能ブロック図を参照してさらに詳細に説明する。
【００２８】
この図に示すように、管理サーバ１のＣＰＵ１０には、通信部３０を介してネットワークＮに接続された分散処理端末２とのデータの送受信を行う通信処理部１１と、当該分散処理端末２に実行させる分散処理時に行うデータを管理する分散処理データ管理部１２と、各分散処理端末２から集計した各成分毎の吸着量から濃度を算出するという平衡処理を行う平衡計算部１３（平衡計算手段）と、吸着塔における計算を行う吸着塔内計算部１４とが構築されている。なお、上記各処理部１１〜１４は、当該処理部による演算処理動作を実現するためのプログラムが管理サーバ１のＣＰＵに組み込まれることによって実現できる。なお、かかるプログラムは、あらかじめ管理コンピュータ１の記憶装置２０に記憶されていたり、あるいは、ＣＤ−ＲＯＭなどの可搬媒体に記憶されているものから提供される。さらには、ネットワークＮ上の他のコンピュータからダウンロードすることで提供されてもよい。
【００２９】
また、上記各処理部１１〜１４にて用いるデータを記憶する各記憶部２１，２２，２３がハードディスク２０に形成されている。例えば、分散処理端末２に実行させる吸着計算処理に必要な吸着計算データや計算手法を表すプログラムを記憶する吸着計算データ記憶部２１と、平衡計算部１３にて平衡計算を行う際に必要なデータや計算手法を表すプログラムを記憶する平衡計算記憶部２２と、吸着塔内計算部１４にて必要な吸着塔の層高や時間などに関するデータ・プログラムを記憶する吸着塔データ記憶部２３と、が形成されている。もちろん、その内部には、上述した予め定められた各データが記憶されている。
【００３０】
ここで、上記分散処理データ管理部１２は、吸着塔内の固定層に含まれる吸着剤に対する流体物の各成分の吸着量を算出するよう、ネットワークＮに接続された分散処理端末２に指示し、その処理状態及び処理結果を管理する。従って、その指示を分散処理端末２に送信することはもちろんのこと、処理に必要な吸着剤の特性や流体物の成分特性データを吸着計算データ記憶部２１から読み出して送信する。また、必要であれば、吸着計算のプログラムをも分散処理端末２に送信し、当該分散処理端末２に計算機能を組み込む。さらに、分散処理端末１２から送信された計算結果を表す各成分毎の吸着量を表すデータを受信して、平衡計算部１３に渡す。
【００３１】
そして、平衡計算部１３は、各分散処理端末２にて計算された流体物の全ての成分に関する吸着剤に対する吸着量データを取得して（吸着量データ受信手段）、これらに基づいて流体物の各成分の濃度を算出する。すなわち、吸着量に対する濃度を算出するという平衡関係を算出する処理を行う。このとき、平衡計算に必要なデータが平衡計算データ記憶部２２から読み出されて用いられる。
【００３２】
なお、その他の詳細な処理については、動作説明時に詳述する。すなわち、上記管理サーバ１が備える各処理機能は上記の処理に限定されず、動作説明時に示す処理も行う機能を有する。
【００３３】
〈分散処理端末〉
次に、ネットワークＮを介して管理サーバ１に接続された分散処理端末２について説明する。この分散処理端末２は複数設置されており、シミュレーションの対象となる流体物に含まれる成分数以上存在すると望ましい。そして、この分散処理端末２は、演算部と記憶部を備えた一般的なコンピュータである。
【００３４】
この端末２に備えられた演算部であるＣＰＵには、上述したように管理サーバ１からの指令を受けて流体物の各成分の吸着量を算出する吸着計算部（吸着計算手段）が構築されている。この吸着計算部は、後述する計算式を用いて各成分毎の吸着剤に対する吸着量を算出し、その結果を管理サーバ１に返送するという機能（吸着量データ送信手段）を有する。
【００３５】
〈動作〉
次に、図１（ａ）に示す管理サーバ１及び分散処理端末２から成る吸着シミュレーション装置による動作を、図２のフローチャートを参照して説明する。なお、このとき、各処理動作の元となる計算式を示すこととする。
【００３６】
まず、基礎式として、以下の式がすでに導かれている。
【００３７】
【数１】
2005250966.tif 000003
【００３８】
【数２】
2005250966.tif 000004
【００３９】
【数３】
2005250966.tif 000005
【００４０】
【数４】
2005250966.tif 000006
【００４１】
上記各式におけるパラメータは、以下の通りである。
u：流速（吸着塔に流れ込む量を塔の断面積で除したもの）
z：層高（吸着塔内部で吸着剤が詰まっている部分の高さ）
ct：流体の濃度
cS：吸着剤表面における流体の濃度
c0：吸着塔入り口（ｚ＝０）における流体の濃度
εB： 充填層空隙率（塔内部で吸着剤が詰まっている部分で、その容積に対する吸着剤粒子間の隙間の割合）
t：吸着時間
ρB：充填密度（詰めた吸着剤の重さを吸着剤の容積で除したもの）
qt：吸着剤粒子内の平均吸着量
qS：吸着剤表面における吸着量（cSとqSは平衡関係にある，平衡関係：cSを与えるとqSがただ１つ決定できる）
q0：c0に平衡な吸着量
qm：吸着剤粒子内での吸着量（qと同じ）
r：吸着剤粒子内半径方向の長さ（吸着剤の中心からの距離）
rP：吸着剤粒子の半径
kF：境膜物質移動係数
Ds：有効表面拡散係数（De：吸着量基準の粒子内有効拡散係数と同じ意味）
aV：充填層単位容積あたりの比表面積（充填層単位容積中に存在する粒子の表面積の和）
aV：吸着剤単位容積あたりの比表面積（吸着剤粒子１つの表面積を１つの粒子の容積で除したもの）
β：操作線の傾き（q0／c0）
【００４２】
まず、管理サーバ１は、計算に必要なパラメータ等の初期値を設定する（ステップＳ１）。このとき、（１）入口濃度ｃ０に平衡な吸着量ｑ０の決定、（２）差分格子点間隔△ｔ，△ｚの決定、（３）無次元差分格子点間隔△Ｔ，△Ｚ（各成分により異なる値）の決定、（４）吸着塔内における濃度と吸着量の決定（初期値；Ct,i,0=1, CS,i,0= 1,Qm,i,IS,0=1 以外はゼロ）、（５）粒子内格子点の係数決定、を行う。例えば、以下の数５に示す値が決定される。
【００４３】
【数５】
2005250966.tif 000007
【００４４】
ここで、上式のパラメータは以下の通りである。
NSK0：粒子内と境膜における拡散に関する無次元変数
SR：定数項を無次元化したもの
Bs：t=tにおける値（収束計算中では定数と同じ意味）の総和
△T,△Z,△R：時間軸，層高軸，粒子内半径軸の増加分（計算点の間隔）
大文字：各変数の無次元化したもの
IS：粒子表面の位置を表す
k：層高軸方向の番号（Z=k△Z）
【００４５】
続いて、吸着塔内の層高や時間などが設定される（ステップＳ２）。例えば、まずは、吸着塔の入り口から最も近い固定層（ｋ＝１）が設定され、かかる層における計算が行われる。
【００４６】
続いて、上記設定された固定層における流体物の各成分の吸着量が算出される。すなわち、各成分毎に番号が与えられており（ｉ）、その番号毎に吸着剤の粒子内における吸着状態すなわち拡散状態の計算が行われる（吸着計算工程、ステップＳ３，Ｓ４〜Ｓ６）。このとき、一つの成分に対する計算が一台の分散処理端末２にて行われるよう、管理サーバ１にて振り分けられ、それぞれの分散処理端末２にてステップＳ４〜ステップＳ６に示す拡散計算（吸着計算）が、その成分数だけ行われる。ここで、このときの計算の詳細を以下の式に示す。
【００４７】
まず、数６で、ｋ＝１段目におけるＢｓを決定する処理を行う。
【００４８】
【数６】
2005250966.tif 000008
【００４９】
続いて、上記にて求められたＢｓから吸着量Ｑ＋を算出する。
【００５０】
【数７】
2005250966.tif 000009
【００５１】
これにより、吸収剤に対する成分毎の吸着量を算出することができる。このような処理が、各成分について各分散処理端末２にて行われる。そして、計算結果は各分散処理端末２から管理サーバ１に送信され（吸着量データ送信工程）、これら集められた吸着量データから管理サーバ１にて平衡計算が行われる（平衡計算工程、ステップＳ７）。すなわち、Ｑ＋ｍ，ＩＳ，ｋから各成分の流入濃度Ｃ＋ｓｋを決定する。
【００５２】
但し、吸着成分が複数になると、成分数だけ連立させて計算しなければならない。従って、これらの解が収束するか否かを判断しなければならず（ステップＳ８）、収束しない場合には、再度、各成分毎に上記数７を計算しなければならない。しかし、かかる計算は各分散処理端末２にて並列に処理されているため、その処理時間は短時間である。
【００５３】
そして、ステップＳ８にて解が収束すると、シミュレーション対象が吸着塔であることを考慮して、層高、時間が変化させて上記処理を繰り返し行う。すなわち、各段の固定層についてシミュレーションを行う（ステップＳ９，Ｓ１０）。
【００５４】
これにより、固定層内の成分毎の吸着状態が飽和するまでの時間をシミュレーションにて知ることができ、後に吸着塔を設立する際、あるいは、実際に吸着分離を行う際の参考データとすることができる。
【００５５】
このような構成にすることにより、各成分の吸着量算出処理をそれぞれ独立の中央処理装置（ＣＰＵ）あるいはコンピュータにて並列に演算処理することができる。そして、算出された値は、一台のコンピュータや中央処理装置に集められ、各成分の吸着量に対応する濃度値が、全ての成分との関連で算出される。すなわち、図２の符号Ａ１で示す処理のうち、特にステップＳ４乃至Ｓ６の処理が分散されてそれぞれ異なるコンピュータにて行われることとなる。このため、図３の従来例における符号Ａ１００で示す処理とは異なり、一台のコンピュータにて多変数の計算を行う必要がなく、全ての成分における吸着量算出処理の高速化を図ることができ、かつ、高性能なコンピュータを用いる必要がないためコスト削減を図ることができる。
【実施例２】
【００５６】
次に、本発明の第二の実施例について説明する。本実施例では、上述した実施例１に示す管理サーバ１と分散処理端末２とから成る吸着シミュレーション装置が、一台のコンピュータにて構成されている。但し、このコンピュータには、複数の中央処理装置（ＣＰＵ）が備えられている。
【００５７】
そして、実施例１における分散処理端末２で行われる流体物の拡散計算は、本実施例では、各成分毎に異なる中央処理装置にて並列に行われる。すなわち、複数の中央処理装置がそれぞれ各成分毎の吸着計算手段として機能する。そして、算出された値は、この内の特定の中央処理装置、あるいは、さらに異なる中央処理装置に集められ平衡計算が行われる。
【００５８】
これにより、上述同様に、全ての成分における吸着量算出処理の高速化を図ることができ、かつ、高性能なコンピュータを用いる必要がないためコスト削減を図ることができる。
【産業上の利用可能性】
【００５９】
本発明である吸着シミュレーション装置、方法、プログラムを用いることで、吸着塔にて確実に流体物の吸着分離を行うために事前に吸着状態を調べることができ、実際に流体物を吸着塔に流入したときの吸着分離の精度向上を図ることができる。
【図面の簡単な説明】
【００６０】
【図１】図１は、本発明である吸着シミュレーション装置の構成図である。図１（ａ）はその全体構成を示すブロック図であり、図１（ｂ）はその一部を構成するコンピュータの内部構成を示す機能ブロック図である。
【図２】本発明である吸着シミュレーション装置の動作を示すフローチャートである。
【図３】従来例における吸着シミュレーション装置の動作を示すフローチャートである。
【符号の説明】
【００６１】
１  管理サーバ
２  分散処理端末（吸着計算手段）
１３  平衡計算部（平衡計算手段）
【図１】
2005250966.tif 000010
【図２】
2005250966.tif 000011
【図３】
2005250966.tif 000012